(57)【要約】【課題】液体収容部がどのような角度であっても中の液を容易に押し出すことができ、しかも無理な姿勢や踏み台を使うことなく広範な領域に液体を均一に塗布することのできる、優れた液体塗布具を提供する。【解決手段】胴体部１１と首部１２とで構成される液体収容部１０と、上記首部１２に、所定の傾斜角で取り付けられるホルダー１３と液体含浸部材１４とで構成されるヘッド部１６とを備え、上記液体収容部１０の首部１２内に、所定の液体導入管３０、３１と、所定の分岐通路３３とが設けられ、上記分岐通路３３には、その通路内を移動可能な球状弁３４が収容されているとともにその通路途中に切欠き部３５が形成されている。【選択図】図２
2008073643.tif 000002
【特許請求の範囲】
【請求項１】
液体を収容する液体収容部と、上記液体収容部の首部に取り付けられ、上記液体収容部から押し出される液体を含浸して塗布作業を行うためのヘッド部とを備えた液体塗布具であって、上記液体収容部が、手で把持しうる略筒状に成形された可撓性の胴体部と、上記胴体部に対し、上記ヘッド部を所定の傾斜角で取り付けるために屈曲形状もしくは湾曲形状が付与された首部とで構成され、上記ヘッド部が、上記液体収容部内と連通する開口を有する浅皿状のホルダーと、上記ホルダーに係合保持され、ホルダーの開口から押し出される液体を含浸保持して塗布に供する液体含浸部材とで構成され、上記液体収容部の首部内に、上端が上記ホルダーの開口に連通し下端が液体収容部の底面近傍まで延びる液体導入管と、上記液体導入管の上端部近傍から分岐して液体収容部の胴体部と略同軸方向上向きに延びる分岐管とが設けられ、上記分岐管には、その通路内を移動可能な弁体が収容されているとともにその通路途中に切欠き部が形成されており、正立姿勢の胴体部押圧時には、上記弁体が分岐管の根元側を塞ぎ、傾倒姿勢の胴体部押圧時には、上記弁体が分岐管の先端側に移動してその通路途中に形成された切欠き部を介して上記液体導入管の上端部と液体収容部内とが連通するようになっていることを特徴とする液体塗布具。
【請求項２】
上記液体収容部の首部が、胴体部と別部材で形成されており、両者がねじ結合により着脱自在に連結されている請求項１記載の液体塗布具。
【請求項３】
上記液体導入管の上端部近傍であって分岐管との連通部より上の部分に、エア抜き穴が形成されている請求項１または２記載の液体塗布具。
【請求項４】
上記ヘッド部の傾斜角が、胴体部の軸方向に対し６０〜９０°に設定されている請求項１〜３のいずれか一項に記載の液体塗布具。
【発明の詳細な説明】
【技術分野】
【０００１】
本発明は、撥水剤や洗浄剤等の液体をガラス面等に塗布する際に用いられる液体塗布具に関するものである。
【背景技術】
【０００２】
従来から、自動車のフロントガラス等に撥水性を与えて雨水等をはじき、汚れをつきにくくするための塗布具として、例えば、図８に示すような、液体収容部１と塗布用のヘッド部２とが一体化された液体塗布具が賞用されている（特許文献１参照）。この液体塗布具の液体収容部１には、撥水剤やガラスの曇り防止剤等を含むコーティング液が収容されており、上記ヘッド部２は、上記液体収容部１の内部に連通するノズル部が内側に取り付けられた浅皿状のホルダー３と、このホルダー３に取り付けられる液体含浸部材（ドーナツ状のフェルト、スポンジ等）４とで構成されている。
【０００３】
そして、上記液体収容部１を片手で持ち、ヘッド部２を下に向けて、上記液体収容部１の可撓性胴体部を強く握って押圧すると、上記ホルダー３のノズル開口２ａから、液体収容部１内のコーティング液が押し出され、液体含浸部材４に含浸保持されるようになっている。したがって、この液体含浸部材４の先端面４ａをガラス面等に押し当てながら滑らせることにより、コーティング液をガラス面等に塗り伸ばすことができる。そして、液が不足する都度、液体収容部１の胴体部を強く握ってコーティング液を押し出し、上記動作を繰り返すことにより、手を汚すことなく、簡単に、ガラス面等に撥水保護膜等を付与することができる。
【特許文献１】実開平６−８５２５８号公報
【発明の開示】
【発明が解決しようとする課題】
【０００４】
しかしながら、上記液体塗布具による塗布作業は、常に、液体収容部１の胴体部を握り、ヘッド部２の先端面を塗布対象面に押し当てた状態で行う必要があるため、例えば自動車のフロントガラスを対象とする場合、車の側方から手を伸ばさなくてはならず、フロントガラスの中央領域への塗布作業が無理な姿勢になるという問題がある。また、近年人気の高い４ＷＤ車やワンボックスカー、ワゴン車等、車高の高い車の窓ガラスへの作業では、脚立等の踏み台を用いなければ、窓ガラス全体に充分な塗布を行うことができないという問題がある。
【０００５】
そこで、液体収容部１の胴体を長く延ばし、ヘッド部２を胴体に対し角度自在に取り付けることも考えられるが、従来のノズル機構では、長い胴体をいろいろな向きに動かしながら塗布作業を行う際、どのような角度においても、胴体部を強く握れば即座に、中の液体がヘッド部２側に押し出されるよう設定することができない。また、ヘッド部２を胴体に対し角度自在にすると、ヘッド部２の先端面を、塗布対象面に充分な強さで押し付けることができず、均一な塗膜を得ることがむずかしいという問題がある。
【０００６】
本発明は、このような事情に鑑みなされたもので、液体収容部がどのような角度であっても中の液を容易に押し出すことができ、しかも無理な姿勢や踏み台を使うことなく広範な領域に液体を均一に塗布することのできる、優れた液体塗布具の提供を、その目的とする。
【課題を解決するための手段】
【０００７】
上記の目的を達成するため、本発明は、液体を収容する液体収容部と、上記液体収容部の首部に取り付けられ、上記液体収容部から押し出される液体を含浸して塗布作業を行うためのヘッド部とを備えた液体塗布具であって、上記液体収容部が、手で把持しうる略筒状に成形された可撓性の胴体部と、上記胴体部に対し、上記ヘッド部を所定の傾斜角で取り付けるために屈曲形状もしくは湾曲形状が付与された首部とで構成され、上記ヘッド部が、上記液体収容部内と連通する開口を有する浅皿状のホルダーと、上記ホルダーに係合保持され、ホルダーの開口から押し出される液体を含浸保持して塗布に供する液体含浸部材とで構成され、上記液体収容部の首部内に、上端が上記ホルダーの開口に連通し下端が液体収容部の底面近傍まで延びる液体導入管と、上記液体導入管の上端部近傍から分岐して液体収容部の胴体部と略同軸方向上向きに延びる分岐管とが設けられ、上記分岐管には、その通路内を移動可能な弁体が収容されているとともにその通路途中に切欠き部が形成されており、正立姿勢の胴体部押圧時には、上記弁体が分岐管の根元側を塞ぎ、傾倒姿勢の胴体部押圧時には、上記弁体が分岐管の先端側に移動してその通路途中に形成された切欠き部を介して上記液体導入管の上端部と液体収容部内とが連通するようになっている液体塗布具を第１の要旨とする。
【０００８】
また、本発明は、そのなかでも、特に、上記液体収容部の首部が、胴体部と別部材で形成されており、両者がねじ結合により着脱自在に連結されている液体塗布具を第２の要旨とし、上記液体導入管の上端部近傍であって分岐管との連通部より上の部分に、エア抜き穴が形成されている液体塗布具を第３の要旨とする。
【０００９】
そして、本発明は  それらのなかでも、特に、上記ヘッド部の傾斜角が、胴体部の軸方向に対し６０〜９０°に設定されている液体塗布具を第４の要旨とする。
【発明の効果】
【００１０】
すなわち、本発明の液体塗布具は、液体収容部内の液体をヘッド部側に押し出すための手段として、下端が液体収容部の底面近傍まで延びる液体導入管と、その上端近傍から分岐し内部に弁体を収容してなる特殊な分岐管とを組み合わせた機構が設けられているため、上記液体収容部の胴体部が正立姿勢、傾倒姿勢のいずれの姿勢であっても、その胴体部を強く握るだけで、簡単に中の液体をヘッド部側に押し出すことができるため、ヘッド部が、胴体部に対し所定の傾斜角で取り付けられていることと相俟って、非常に作業性が良好で、広範な領域に均一に液体を塗布することができる。したがって、例えば、撥水保護膜を、車高の高い車のガラス窓に塗布する場合等において、無理な姿勢をとったり、踏み台を用意したりする必要がなく、楽に作業できるという利点を有する。
【００１１】
また、本発明のなかでも、特に、上記液体収容部の首部が、胴体部と別部材で形成されており、両者がねじ結合により着脱自在に連結されているものは、例えば、液体で満たした胴体部に簡易蓋を付けた交換用ボトルを用意しておき、液体を使い切った時点で、これと順次交換することができるため、経済的である。また、廃棄する部分が少なくエコロジー的にも好ましいものとなる。
【００１２】
さらに、本発明のなかでも、特に、上記液体導入管の上端部近傍であって分岐管との連通部より上の部分に、エア抜き穴が形成されているものは、液体収容部に収容される液体が、アルコール等の揮発性溶剤を主成分とするものである場合、液体収容部内の内圧が高まることを防止できるため、使い始めの際、中の液体が一気に吹き出すことがなく、安全に使用することができるという利点を有する。
【００１３】
また、本発明のなかでも、特に、上記ヘッド部の傾斜角が、胴体部の軸方向に対し６０〜９０°に設定されているものは、液体を広範な領域に塗布するために液体収容部を比較的長く設定しても、そのヘッド部先端面を、塗布対象面に強く押し付けながら作業を進めることができ、液体を均一に塗布することができるという利点を有する。
【発明を実施するための最良の形態】
【００１４】
つぎに、本発明を実施するための最良の形態について説明する。ただし、本発明は、この実施の形態に限られるものではない。
【００１５】
図１（ａ）は、本発明を実施するための最良の形態である液体塗布具の右側面図であり、同図（ｂ）は、その背面図である。また、図２は、図１（ａ）の縦断面図である。これらの図において、１０は液体収容部で、手で把持しうる略円筒状に成形された可撓性の胴体部１１と、湾曲形状が付与された首部１２とで構成されている。また、上記首部１２の上端開口には、浅皿状のホルダー１３と、上記ホルダー１３に係合保持されるフェルト製の液体含浸部材１４と、これを覆う蓋１５とで構成されるヘッド部１６が取り付けられている。
【００１６】
より詳細に説明すると、上記液体収容部１０の胴体部１１は、全体の中心軸が緩やかにカーブして円弧状をなしており、手で握る部分がやや凹んで握りやすい形になっている。また、胴体部１１の下部も、下にいくほど縮径されており、下端部に力を入れて握りやすくなっている。そして、図２およびその部分的な拡大図である図３に示すように、上記胴体部１１の上端開口には、内向きフランジ１７が環状に形成されており、その内周縁から上向きに、中空の雄ねじ部１８が形成されている。
【００１７】
一方、その上の首部１２の内部は、中央に連通穴１９が形成された仕切り板２０を介して上下２つの空間に仕切られており、この仕切り板２０より下側に、下向きに延びる中空の雌ねじ部２１が形成されており、上記胴体部１１側の雄ねじ部１８とら合している。なお、上記ら合によって、胴体部１１と首部１２とが、互いの周壁が面一となる形で連結一体化されている。
【００１８】
また、上記首部１２の雌ねじ部２１の内側に、上記胴体部１１側の雄ねじ部１８の中空部に入り込むガイド筒２２が設けられており、この嵌合によって、上記雌ねじ部２１と雄ねじ部１８のら合時の位置決めをガイドするようになっている。
【００１９】
さらに、上記仕切り板２０の連通穴１９の開口縁から下向きに、第１の液体導入管３０が延設されており、この液体導入管３０と、液体収容部１０の底面近傍まで延びる第２の液体導入管３１とが、上記第１の液体導入管３０に外嵌固定される連結筒３２によって、互いに連通されている。
【００２０】
上記連結筒３２には、上記第１および第２の液体導入管３０、３１に連通しうる分岐通路３３が、上記第１の液体導入管３０と平行（図３において上下方向）に形成されており、この分岐通路３３内に、通路３３内を移動自在な弁体として、球状弁３４が収容されている。すなわち、上記分岐通路３３が、本発明の分岐管としての機能を果たす。そして、上記球状弁３４が移動しうる通路３３途中の２個所（１８０°等配）に、略正方形状の切欠き部３５が形成されている。したがって、図３に示すように、上記球状弁３４が分岐通路３３の最下端にあると、上記分岐通路３３内と上記第１および第２の液体導入管３０、３１とは遮断され、鎖線で示すように、上記球状弁３４が分岐通路３３の上方に移動すると、上記切欠き部３５を介して、第１の液体導入管３０と液体収容部１０内とが連通するようになっている。
【００２１】
一方、上記仕切り板２０より上の空間には、仕切り板２０の連通穴１９の周囲から斜め上方向に延びるガイド筒３６が設けられており、後述するように、ヘッド部１６のホルダー１３から延びる液体吐出管延長部４５と嵌合するようになっている。
【００２２】
また、ヘッド部１６のホルダー１３は、中央に連通穴４０が形成された底板４１と、その周縁部から立ち上がる環状側壁４２とで浅皿状になっており、上記底板４１の上面側に、連通穴４０の周縁部から立ち上がる有天筒状の液体吐出管４３が設けられている。そして、この液体吐出管４３の側壁上端部には、前後２個所（１８０°等配）に、液体を吐出するための吐出口４４が形成されている。
【００２３】
さらに、上記底板４１の下側には、上記液体吐出管４３と同軸下向きに延びる液体吐出管延長部４５が設けられており、この液体吐出管延長部４５が、前記首部１２側のガイド筒３６と嵌合している。また、同じく上記底板４１の下面側に、上記首部１２の上端開口部と嵌合するガイド筒４６が設けられており、ガイド筒４６の内周面に環状に設けられた凹条４６ａと、首部１２の開口部周壁の外周面に環状に設けられた凸条１２ａとの係合によって、ホルダー１３が首部１２から外れないよう抜け止めがなされている。
【００２４】
そして、上記ホルダー１３には、底部側を、ホルダー１３の環状側壁４２の内側に入り込ませた状態で、分厚いシート状フェルトからなる液体含浸部材１４が取り付けられている。この液体含浸部材１４には、２個所に切り込みが入れてあり、この切り込みに、上記ホルダー１３の底板１２から突出する２個の係合ガイド４７を通して取り付けることにより、上記係合ガイド４７の両面に設けられた突片４７ａによって抜け止めされるようになっている。なお、長期の使用によって液体含浸部材１４が摩耗したり固くなって含浸保持性能が衰えてきた場合は、これをホルダー１３から外して、新規な液体含浸部材１４に交換できるようになっている。
【００２５】
そして、上記ホルダー１３に取り付けられた液体含浸部材１４は、ホルダー１３の環状側壁４２と液体吐出管４３のそれぞれに着脱自在に嵌合する蓋１５によって保護されており、塗布作業時には、この蓋１５を外して上記液体含浸部材１４を露出して作業を行うようになっている。１５ａは、蓋１５を外すときに手指をかけるための突出片である。
【００２６】
上記液体塗布具によれば、それがどのような姿勢であっても、中の液体を即座にヘッド部１６側に押し出して、簡単かつ均一に液体を塗り伸ばすことができる。
【００２７】
すなわち、液体塗布具の胴体部１１が正立姿勢では、図３に示すように、分岐通路３３内の球状弁３４が自重で通路３３の根元部にあるため、この状態で、胴体部１１を強く押すと、上記球状弁３４はさらに強く押し付けられて、分岐通路３３は、第１の液体導入管３０および第２の液体導入管３１から遮断される。そして、液体収容部１０内の液体は、上記押圧によって、第２の液体導入管３１の下端から中に入り、図３において矢印で示すように、第１の液体導入管３０、液体吐出管延長部４５を経由して、液体吐出管４３の吐出口４４から側方に吐出される。そして、吐出された液体は、液体含浸部材１４に含浸保持され、塗布動作により塗布対象面上に塗り伸ばされる。
【００２８】
また、液体塗布具の胴体部１１が傾倒姿勢では、図４に示すように、分岐通路３３内の球状弁３４が自重で通路３３の先端部（図４では下になっている）にあり、通路３３途中に形成された切欠き部３５を介して、液体収容部１０内と、分岐通路３３内と、第１の液体導入管３０、第２の液体導入管３１とが、互いに連通している。そして、その周囲のガイド筒２２内には、液体が充満している。この状態で、胴体部１１を強く押すと、周囲の液体が、上記切欠き部３５から分岐通路３３内に入り、図４において矢印で示すように、第２の液体導入管３１の上端部（図では下になっている）、第１の液体導入管３０、液体吐出管延長部４５を経由して、正立姿勢の場合と同様、液体吐出管４３の吐出口４４から側方に吐出される。そして、吐出された液体は、液体含浸部材１４に含浸保持され、塗布動作により塗布対象面上に塗り伸ばされる。
【００２９】
このように、胴体部１１（ひいては液体塗布具全体）がどのような姿勢であっても、胴体部１１の姿勢に応じて、これと略同一方向に形成された分岐通路３３内で、球状弁３４が自重で適宜移動して、必ず液体吐出管４３に液体が導入され、吐出されるようになっている。
【００３０】
しかも、上記液体塗布具のヘッド部１６は、胴体部１１の軸方向に対し７０°の傾斜角（図４においてθで示す）となるよう傾斜して取り付けられているため、液体収容部１０の長さを比較的長く設定しても、塗布作業時に、そのヘッド部１６の先端面を、塗布対象面に強く押し付けて液体を薄く均一に伸ばすことができ、優れた仕上がりを得ることができる。
【００３１】
したがって、上記液体塗布具の姿勢がどんな傾きであっても即座に液体を押し出すことができることと、ヘッド部１６の角度が所定の傾斜角になっているととが相俟って、例えば、撥水保護膜を、車高の高い車のガラス窓に塗布する場合等の広範な領域への塗布作業時において、無理な姿勢をとったり、踏み台を用意したりする必要がなく、楽に作業できるという利点を有する。
【００３２】
なお、上記の例において、各部材の材料はどのようなものであっても差し支えないが、液体収容部１０の少なくとも胴体部１１は、液押し出しができるよう可撓性であることが必要である。例えば、上記胴体部１１を高密度ポリエチレン（ＨＤＰＥ）で形成し、首部１２やホルダー１３、蓋１５等をポリプロピレン（ＰＰ）で形成することが好適である。なお、第２の液体導入管３１は、ある程度柔軟な方が、組立作業性上好ましいことから、ポリエチレン製チューブを用いることが好適である。また、分岐通路３３内に収容される球状弁３４は、自重で移動し、液体中で浮かび上がることのないよう、ステンレス球等の金属球が好適に用いられる。
【００３３】
また、上記の例では、液体の押し出し経路を切り替えるための弁体として、球状弁３４を用いているが、弁体の形状は、球状に限定するものではなく、例えば、円錐状等、適宜の形状に設定することができる。
【００３４】
そして、上記の例では、液体収容部１０の首部１２と胴体部１１とを別部材で形成し、両者を、互いにねじ結合により着脱自在に連結しているが、このようにすると、例えば、胴体部に液体を満たして簡易蓋をした交換用ボトルを用意しておき、液体を使い切った時点で、空の液体収容部１０の胴体部１１のみ外して、上記交換用ボトルと順次交換することができるため、経済的である。また、廃棄する部分が少なくエコロジー的にも好ましいものとなる。ただし、本発明において、首部１２と胴体部１１の連結方法は、上記ねじ結合に限るものではなく、どのような方法であってもよい。もちろん、首部１２内の液体導入機構を、首部１２内に設けることができれば、首部１２と胴体部１１とを一体成形しても差し支えない。
【００３５】
さらに、首部１２とヘッド部１６との連結方法も、上記の例では、首部１２とホルダー１３とを嵌合によって連結しているが、これに限定するものではなく、例えば、上記首部１２と胴体部１１の連結と同様、ねじ結合によって連結するようにしてもよい。その場合は、ホルダー１３側の液体吐出筒４３、液体吐出筒延長部４５と、首部１２側のガイド筒３６との係合部が、軸中心となるよう設定する。この構成によれば、液体含浸部材１４が長期の使用によって摩耗したり固くなって液体含浸性能が衰えてきた時点で、液体含浸部材１４を、ホルダー１３ごと新規なものに交換することができ、作業性がよい。ただし、エコロジー的な観点からすれば、上記の例のように、液体含浸部材１４のみを交換する方が好ましい。
【００３６】
そして、上記ヘッド部１６の傾斜角（図４においてθで示す）は、胴体部１１の軸方向に対し６０〜９０°に設計することが好適で、なかでも、７０°が最も良好な使い勝手を有する。すなわち、傾斜角が６０°より小さいと、塗布対象面に対する胴体部１１の角度が大きくなり、これを遠くに延ばした状態での塗布作業がしにくく、逆に傾斜角が９０°より大きいと、胴体部１１が塗布対象面に接近する角度となって、やはり塗布作業がしにくくなるからである。
【００３７】
そして、上記の例では、首部１２の内側において、第１の液体導入管３０と第２の液体導入管３１とを連結筒３２で連結し、この連結筒３２に分岐通路３３を形成しているが、上記第１の液体導入管３０と第２の液体導入管３１を同軸的に連結するか、１本の配管とした上で、その液体導入配管から直接分岐する分岐管を設けるようにしても差し支えない。ただし、分岐管は、上記の例と同様、液体収容部１０の胴体部１１と略同軸方向上向きに延びていなければならない。すなわち、胴体部１１と略同軸方向上向きに延びた分岐管内で、前記球状弁３４が上下動することにより、胴体部１１の姿勢と連動して、液体収容部１０内の液体の、ヘッド部１６側への導入路が、切り替えられるようになっているからである。ただし、「略同軸方向」とは、互いの軸方向が完全に一致する必要はなく、互いの軸方向のずれが２０°以内であれば、実用上、問題がない。
【００３８】
また、上記の例では、中の液体をヘッド部１６側に押し出すための機構（連結筒３２、分岐通路３３等）を、首部１２内の下側に設けたが、例えば、図５およびその部分的な拡大である図６に示すように、首部１２内の上側に、同様の機構を設けるようにしてもよい。この例では、屈曲した首部１２の内側に、ホルダー１３から延びる液体吐出管延長部４５と嵌合する第１の液体導入管３０が、上記首部１２の屈曲方向と同方向に延びており、この第１の液体導入管３０から直接分岐する分岐管５０が形成されており、前記の例と同様、内側に、この分岐管５０内を上下に移動しうる球状弁３４が収容されている。そして、上記球状弁３４が移動しうる通路途中に、分岐管５０の先端縁まで切欠きが延びる切欠き部３５′が２個所（１８０°等配）に設けられている。また、上記第１の液体導入管３０の１個所に、ごく小径のエア抜き穴５１が設けられている。
【００３９】
なお、この例において、胴体部１１の上端開口部は縮径されており、この縮径部１１ａが、首部１２の下端に設けられた環状凹部１２ａと嵌合して、胴体部１１と首部１２とが連結一体化されている。また、首部１２の上端開口部が、ホルダー１３の下面側に設けられた環状凹部１３ａと嵌合して、首部１２とヘッド部１６とが連結一体化されている。
【００４０】
他の構成は、基本的に前記の例と同様であり、同一部分に同一番号を付して、その説明を省略する。
【００４１】
この液体塗布具によれば、胴体部１１が正立姿勢では、図６に示すように、分岐管５０内の球状弁３４が自重で分岐管５０内の根元部にあるため、この状態で、胴体部１１を強く押すと、前記の例と同様、上記球状弁３４によって分岐管５０が遮断され、液体収容部１０内の液体は、第２の液体導入管３１の下端から管内に入り、図６において矢印で示すように、第１の液体導入管３０、液体吐出管延長部４５を経由して、液体吐出管４３の吐出口４４から側方に吐出される。そして、吐出された液体は、液体含浸部材１４に含浸保持され、塗布動作により塗布対象面上に塗り伸ばされる。
【００４２】
また、液体塗布具の胴体部１１が傾倒姿勢では、図７に示すように、分岐管５０内の球状弁３４が自重で分岐管５０内の先端部（図７では下になっている）にあるため、この状態で、胴体部１１を強く押すと、前記の例と同様、周囲の液体が、上記分岐管５０の切欠き部３５′から分岐管５０内に入り、図７において矢印で示すように、第１の液体導入管３０、液体吐出管延長部４５を経由して、正立姿勢の場合と同様、液体吐出管４３の吐出口４４から側方に吐出される。そして、吐出された液体は、液体含浸部材１４に含浸保持され、塗布動作により塗布対象面上に塗り伸ばされる。
【００４３】
このように、上記液体塗布具も、前記の例と同様の効果を奏する。なお、上記の例において、第１の液体導入管３０の１個所に、エア抜き穴５１を設けたのは、液体収容部１０内に収容する液体がアルコール等、揮発性の高いものを含んでいる場合、未開封の状態で液体収容部１０内のガス圧が高くなり、蓋１５をあけると内の液体が、胴体部１１を押さなくても急激に吹き出すおそれがあるからである。したがって、この例に限らず、中に収容する液体が揮発性である場合は、上記エア抜き穴５１を設けることが好ましい。
【００４４】
さらに、本発明において、液体収容部１０の長さは、特に限定するものではないが、液体塗布具を、その姿勢に関係なく、広範に動かして塗布作業を行うことができる、という特徴からすれば、その胴体部１１の長さを、１５〜２５ｃｍ、なかでも１８〜２０ｃｍ程度の、長めの設定にすることが好適である。
【００４５】
そして、上記胴体部１１の形状は、円筒状、角筒状等、どのような横断面形状であっても、長手方向に延びる略筒状であれば、特に限定するものではない。そして、図１や図５に示す例では、胴体部の下部を下にいくほど縮径して、下端部にぐっと力をかけて握った状態での塗布作業が行いやすいようにしているが、このような形状を付与することも任意である。
【図面の簡単な説明】
【００４６】
【図１】（ａ）は本発明の一実施例の右側面図、（ｂ）はその背面図である。
【図２】上記実施例の縦断面図である。
【図３】図２の要部を拡大して示す説明図である。
【図４】上記実施例の動作説明図である。
【図５】本発明の他の実施例の縦断面図である。
【図６】図５の要部を拡大して示す説明図である。
【図７】上記他の実施例の動作説明図である。
【図８】従来の液体塗布具の一例を示す説明図である。
【符号の説明】
【００４７】
１０  液体収容部
１１  胴体部
１２  首部
１３  ホルダー
１４  液体含浸部材
１６  ヘッド部
３０  第１の液体導入管
３１  第２の液体導入管
３３  分岐通路
３４  球状弁
３５  切欠き部
【図１】
2008073643.tif 000003
【図２】
2008073643.tif 000004
【図３】
2008073643.tif 000005
【図４】
2008073643.tif 000006
【図５】
2008073643.tif 000007
【図６】
2008073643.tif 000008
【図７】
2008073643.tif 000009
【図８】
2008073643.tif 000010